(57)【特許請求の範囲】
【請求項１】
公衆網を介して接続される複数の回線と、複数の内線端末とを収容し、前記公衆網からダイヤルイン着信を受けた際に、当該公衆網から受信するダイヤルイン番号に対応する内線端末を選択し、当該選択した内線端末にダイヤルイン着信を行うことが可能であると共に、当該内線端末へのダイヤルイン着信とは異なる複数の着信形態の一つを選択する選択手段とを備えた構内交換機において、
前記内線端末の各々は、自身の内線端末がダイヤルイン着信対象内線であるときに用いられる番号変換情報であって、自身の内線端末が着信先であるダイヤルイン着信のときに、当該ダイヤルイン着信に対する着信先又は着信形態を切替る番号変換情報を設定する切替機能ボタンと、前記切替機能ボタンの操作を可能とする固定機能ボタンを備えており、
前記構内交換機は、前記固定機能ボタンの操作をした後の前記切替機能ボタンの操作に応じて、当該切替機能ボタンが操作された内線端末に対応する番号変換情報を、前記内線端末の各々に対応させて設定する設定手段と、前記公衆網からダイヤルイン着信を受けた際に、当該公衆網から受信するダイヤルイン番号に対応する内線端末の前記設定された番号変換情報に応じて、当該番号変換情報として設定されている着信先又は着信形態に基づき着信制御を行う着信制御手段とを備えたことを特徴とする構内交換機。
【請求項２】
公衆網を介して接続される複数の回線と、複数の内線端末とを収容し、前記公衆網からダイヤルイン着信を受けた際に、当該公衆網から受信するダイヤルイン番号に対応する内線端末を選択し、当該選択した内線端末にダイヤルイン着信を行うことが可能であると共に、当該内線端末へのダイヤルイン着信とは異なる複数の着信形態の一つを選択する選択手段とを備えた構内交換機において、
前記内線端末の各々は、自身の内線端末がダイヤルイン着信対象内線であるときに用いられる番号変換情報であって、自身の内線端末が着信先であるダイヤルイン着信のときに、当該ダイヤルイン着信に対する着信先又は着信形態を切替る番号変換情報を設定する切替機能ボタンと、前記切替機能ボタンの操作を可能とする固定機能ボタンを備えており、
前記構内交換機は、前記固定機能ボタンの操作をした後の前記切替機能ボタンの操作に応じて、当該切替機能ボタンが操作された内線端末に対応する番号変換情報を、前記内線端末の各々に対応させて設定し、前記公衆網からダイヤルイン着信を受けた際に、当該公衆網から受信するダイヤルイン番号に対応する内線端末の前記設定された番号変換情報に応じて、当該番号変換情報として設定されている着信先又は着信形態に基づき着信制御を行うことを特徴とする着信形態の一つを選択する方法。
【発明の詳細な説明】
【０００１】
【発明の属する技術分野】
本発明は、複数の内線端末装置を収容し、公衆網に接続される構内交換機において、特にダイヤルイン着信でそれぞれの内線端末装置に着信を行う際に、ダイヤルイン着信の着信対象となる内線端末装置を選択する方法および構内交換システムに関するものである。
【０００２】
【従来の技術】
企業などで利用される構内交換機は、公衆網の回線を複数接続し、内線電話となる内線端末装置を複数収容して様々なサービスが運用される。その中でも公衆網のサービスであるダイヤルイン着信方式を利用する企業は非常に多い。これはダイヤルイン着信方式が１回線に対して１番号ではなく、複数回線に対して複数番号で利用可能なサービスであるためである。
【０００３】
その為、ダイヤルイン着信方式を利用する構内交換機でも様々なサービスが開発されており、ダイヤルイン着信番号変換機能もその一つである。
ダイヤルイン着信番号変換機能は、公衆網より送信されてくるダイヤルイン番号を構内交換機が受信し、受信したダイヤルイン番号を構内交換機で変換し、対象となる内線電話機を選択するサービスである。
【０００４】
要するに、構内交換機でダイヤルイン番号を変換することで、ダイヤルイン番号を変更すること無く着信対象となる内線電話機を変更することが簡単に出来るようになっている。
【０００５】
構内交換機で、上記したサービスが開始され、さらに簡単に着信対象となる内線電話機の変更を可能とする方法として、夜間や深夜のダイヤルイン着信切り替えなどが行われるようになった。
【０００６】
これは電鍵キー（ハードスイッチ）やタイマーなどを用いて着信対象となる内線電話機を切替える方法であり、昼間や夜間や深夜などで着信対象となる内線電話機を切替えて使用することで、例えば、昼間は中継台へ着信し、夜間は自部署に着信し、深夜はトーキーや音声メール装置へ着信するなどとして公衆網からのダイヤルイン着信に対応する。
【０００７】
また、その電鍵キーの変わりに構内交換機に収容される多機能電話機のボタンが用いられる方法がある。
【０００８】
【発明が解決しようとする課題】
しかしながら上記従来の技術では、ダイヤルイン着信の切り替え条件が複雑化し、利用者が現在のダイヤルイン着信状態を認識しづらく、構内交換機運用上での誤動作を招くおそれがあった。
【０００９】
また、従来のダイヤルイン着信切り替え方法では、多機能電話機からダイヤルイン着信切り替えを行う場合でも、限定された内線端末装置からその内線端末装置が属するグループのダイヤルイン着信を切替えることしかできず、切り替え操作対象となる端末装置の利用者が操作を忘れた場合などには、その利用者が属するグループ全体の内線端末装置のダイヤルイン着信切り替えが行われないという問題があった。
【００１０】
また、従来のダイヤルイン着信切り替えでは、着信切り替えの順番が限られていた。例えば、昼の状態から夜間の状態、夜間の状態から深夜の状態などへの切り替えしかできず、昼の状態から深夜の状態への変更ができなかった。上述した例では三つの状態で説明したが、切り替え可能な状態がさらに増えた場合、切り替えの順番が限られているのは操作性が非常に悪いと言う問題があった。
【００１１】
また、ダイヤルイン着信切り替えは、内線端末をグループ化して利用した場合のサービスとして限定されており、各個人毎にダイヤルイン着信番号を利用する場合、ダイヤルイン着信切り替えの利用が困難であった。
【００１２】
【課題を解決するための手段】
本発明は、公衆網を介して接続される複数の回線と、複数の内線端末とを収容し、前記公衆網からダイヤルイン着信を受けた際に、当該公衆網から受信するダイヤルイン番号に対応する内線端末を選択し、当該選択した内線端末にダイヤルイン着信を行うことが可能であると共に、当該内線端末へのダイヤルイン着信とは異なる複数の着信形態の一つを選択する選択手段とを備えた構内交換機において、前記内線端末の各々は、自身の内線端末がダイヤルイン着信対象内線であるときに用いられる番号変換情報であって、自身の内線端末が着信先であるダイヤルイン着信のときに、当該ダイヤルイン着信に対する着信先又は着信形態を切替る番号変換情報を設定する切替機能ボタンと、前記切替機能ボタンの操作を可能とする固定機能ボタンを備えており、前記構内交換機は、前記固定機能ボタンの操作をした後の前記切替機能ボタンの操作に応じて、当該切替機能ボタンが操作された内線端末に対応する番号変換情報を、前記内線端末の各々に対応させて設定する設定手段と、前記公衆網からダイヤルイン着信を受けた際に、当該公衆網から受信するダイヤルイン番号に対応する内線端末の前記設定された番号変換情報に応じて、当該番号変換情報として設定されている着信先又は着信形態に基づき着信制御を行う着信制御手段とを備えたことを特徴とする。
【００１３】
したがって、本発明によれば、内線端末それぞれにダイヤルイン着信したときでも、それぞれの内線端末毎にダイヤルイン着信形態の切替ができ、ダイヤルイン着信を利用した着信形態の利便性が向上される。
【００１４】
また、本発明は、公衆網を介して接続される複数の回線と、複数の内線端末とを収容し、前記公衆網からダイヤルイン着信を受けた際に、当該公衆網から受信するダイヤルイン番号に対応する内線端末を選択し、当該選択した内線端末にダイヤルイン着信を行うことが可能であると共に、当該内線端末へのダイヤルイン着信とは異なる複数の着信形態の一つを選択する選択手段とを備えた構内交換機において、前記内線端末の各々は、自身の内線端末がダイヤルイン着信対象内線であるときに用いられる番号変換情報であって、自身の内線端末が着信先であるダイヤルイン着信のときに、当該ダイヤルイン着信に対する着信先又は着信形態を切替る番号変換情報を設定する切替機能ボタンと、前記切替機能ボタンの操作を可能とする固定機能ボタンを備えており、前記構内交換機は、前記固定機能ボタンの操作をした後の前記切替機能ボタンの操作に応じて、当該切替機能ボタンが操作された内線端末に対応する番号変換情報を、前記内線端末の各々に対応させて設定し、前記公衆網からダイヤルイン着信を受けた際に、当該公衆網から受信するダイヤルイン番号に対応する内線端末の前記設定された番号変換情報に応じて、当該番号変換情報として設定されている着信先又は着信形態に基づき着信制御を行うことを特徴とする。
【００１５】
したがって本発明によれば、ダイヤルイン着信の着信形態を切替える方法が簡素化されると共に、着信形態の切替え状態が端末装置のランプで表示されるので、着信形態の切替え状態を確認しながら着信形態の切替えが可能となる。
【００１６】
【発明の実施の形態】
以下、本発明の実施の形態について、図面を参照し説明する。
図１は本発明の実施の形態における構内交換機のシステム構成図である。１０１はディジタルライントランク（ＤＬＩＮ）である。１０２は局線トランク（ＣＯＴ）である。１０３はＰＢ信号送受信トランク（ＰＢＲ）である。
【００１７】
１０４は通話路スイッチ（ＴＳＷ）である。１０５は中央制御装置（ＣＰＵ）である。１０６は記憶装置（ＭＭ）である。１０７は制御バスである。
１０８は内線端末である。１０９は公衆網を示している。
同図において、構内交換機は破線で示すように、通話路スイッチ１０４と、ディジタルライントランク１０１と、局線トランク１０２と、ＰＢ信号送受信機１０３と、制御バス１０７と、中央制御装置１０５と、記憶装置１０６とで構成される。
【００１８】
中央制御装置１０５は、制御バス１０７を介して構内交換装置全体を制御する中央制御装置であり、各条件において、様々なプログラムを実行する。
記憶装置１０６は、中央制御装置１０５と制御バス１０７を介して接続されており、中央制御装置１０５からの指示により、中央制御装置１０５とデータの授受を行い、交換動作制御プログラムなどの各種プログラム及び、構内交換装置の内線データ、局データ、制御データなどの各種データを記憶すると共に、交換動作を実行するときに一時的に利用される情報を記憶する記憶装置である。
【００１９】
通話路スイッチ１０４は、中央制御装置１０５と制御バス１０７を介して接続されており、中央制御装置からの指示により通話路の接続、切断などを行う。
ディジタルライントランク１０１は、内線端末１０８を構内交換機に接続するための接続ユニットであり、このディジタルライントランク１０１には図示しない制御装置が内蔵されている。
【００２０】
このディジタルライントランク１０１は内線端末１０８の発呼情報（着信情報）、ダイヤル情報、切断情報などの各種情報を中央制御装置１０５に通知すると共に、中央制御装置１０５から内線端末１０８を制御するためのランプ情報、表示情報（ＬＣＤ表示情報）、リンギング情報、着信情報などの各種情報をディジタルライントランク１０１内の制御装置に通知することで、内線端末１０８に対する制御が実行される。
【００２１】
なお、本発明の実施の形態ではディジタルライントランク１０１〜１０１ｎとして示しているが、これはディジタルライントランク１０１を複数収容していることを示している。
【００２２】
局線トランク１０２は、公衆網１０９を構内交換装置に接続するための接続ユニットであり、この局線トランク１０２の内部には、図示しない制御装置が内蔵されている。
【００２３】
この局線トランク１０２は公衆網１０９からの着呼情報、発信者番号情報などの各種情報を中央制御装置１０５に通知すると共に、中央制御装置１０５から公衆網１０９に対する発呼情報、ダイヤル情報などの各種情報を局線トランク１０２内の制御装置に通知することで、公衆網１０９に対する発呼（発信）が実行される。
【００２４】
なお、本発明の実施の形態では、局線トランク１０２〜１０２ｎとして示しているが、これは局線トランク１０２を複数収容していることを示している。
ＰＢ信号送受信トランク１０３は、構内交換機でＰＢ信号を利用するするためのユニットであり、このＰＢ信号送受信トランクの内部には、図示しない制御装置が内蔵されている。
【００２５】
このＰＢ信号送受信トランク１０３は、通信接続される際にＰＢ信号の送受が必要な場合に、中央制御装置１０５の指示で通話路スイッチ１０４を介して接続され、ＰＢ信号の送受を行いその送受信されるＰＢ信号の送受信内容を中央制御装置１０５に通知する。
【００２６】
内線端末１０８は、構内交換機で利用される電話機である。本発明の実施の形態では、内線端末１０８に多機能電話機を利用した構成として説明する。（以下、内線端末１０８を多機能電話機１０８とも言う。）なお、本発明の実施の形態では内線端末１０８〜１０８ｎとして示しているが、これは内線端末１０８を複数収容していることを示している。公衆網１０９は、一般加入者網であり、ダイヤルイン着信が可能であればアナログ網、ＩＳＤＮ網のいずれであっても良い。図２は、本発明の実施の形態における多機能電話機１０８の盤面図であり、多機能電話機１０８の表示部と特殊ボタンのみを示している。なお、図示していない構成として送受話器、ダイヤルボタン、スピーカなどがあるが、本発明とは特に関係ないので説明を省略する。
【００２７】
２００はＬＣＤ表示部である。２０１及び２０４はＬＥＤランプである。２０２及び２０５はボタンスイッチである。２０３で示す破線の部分は要するにボタン一つの構成を示している。つまり、ＬＥＤランプ２０１とボタンスイッチ２０２を一つとして機能ボタン５として構成されている。同様の構成で機能ボタンは１〜２４までのボタンがある。
【００２８】
この機能ボタンは、構内交換機の記憶装置１０６に局データとして記憶される情報により、様々な機能ボタンとして利用可能である。なお、詳細な説明は後述する。（以下、機能ボタン１、機能ボタン２・・・機能ボタン２４とも言う。）２０６で示す破線の部分は、先に説明した機能ボタンとは異なり、予め機能が固定されたボタン一つの構成を示している。つまり、ＬＥＤランプ２０４とボタンスイッチ２０５を一つの構成として機能が固定されたボタンとなる。（以下、それぞれ再ダイヤルボタン、転送ボタン、◇ボタン、不在ボタン、代理応答ボタンとも言う。）
図３は、本発明の実施の形態における構内交換機の記憶装置１０６に記憶される内線データであり、内線番号情報３００と他の内線制御情報として内線制御情報Ａ３０１と番号変換情報３０２と内線制御情報ｎ３０１を１ブロックとして構成している。同図で示すように、内線データは構内交換機に収容される内線端末それぞれのデータであり、収容位置情報により検索される。また、本発明の実施の形態では番号変換情報３０２以外については本発明とは関係ないため詳細な説明を省略する。
【００２９】
番号変換情報３０２は、内線端末１０８がダイヤルイン着信対象内線となったときに用いられる番号変換情報が記憶される。番号変換情報には、着信先を示す為の情報が記憶されており、ダイヤルイン着信したときに本データに基づいて着信先又は着信形態を決定する。
【００３０】
図４は、本発明の実施の形態における構内交換機の記憶装置１０６に記憶される機能ボタンデータであり、機能ボタン一つに対して用途４００と、制御情報４０１で構成される。つまり、４０２〜４０４で示される情報は機能ボタンにデータが設定されている例を示している。
【００３１】
例えば、用途４００に設定された内容として番号変換切替ボタン４０２が対応しており、制御情報４０１に設定された内容として番号変換モード番号４０３と番号変換グループ番号４０４が対応している。
【００３２】
番号変換切替ボタン４０２は、上述したように登録されたボタンの用途を示しており、番号変換のボタンが登録されていることを示している。
番号変換モード番号４０３は、該当するボタンに登録されている変換モードを示す情報が記憶されている。例えば、中継台着信、内線番号への変換、分散着信、などである。
【００３３】
番号変換グループ番号４０４は、後述する情報の索引情報である。
なお、本データは図３で示すデータと同様に、構内交換機に収容可能な内線数分のエリアがあり、収容位置情報で検索され、更に、それぞれのボタン番号でインデックスされている。
【００３４】
図５は、本発明の実施の形態における構内交換機の記憶装置１０６に記憶される番号変換許容データであり、番号変換許容モード５００〜５００ｎで構成される。
【００３５】
番号変換許容モード５００は、上述した番号変換グループ番号４０４でインデックスされるデータであり、番号変換のモード変更範囲を示す情報が記憶されている。例えば、図２で示される番号変換のモードを、在席をモード０、離席をモード１、転送１をモード２、転送２をモード３、夜間切替をモード４とすると、番号変換のモード変更範囲がモード２までと設定されている場合は、転送２（モード３）と夜間切替（モード４）への変更を規制する。
【００３６】
図６は、本発明の実施の形態における構内交換機の記憶装置１０６に記憶される番号変換テーブルデータであり、変換テーブル番号６００〜６００ｎで構成される。
【００３７】
変換テーブル番号６００は、後述する情報の索引情報であり、実際の変換情報をインデックスするためのテーブル番号が記憶されている。
なお、番号変換テーブルデータも上述した番号変換グループ番号でインデックスされるデータである。
図７は、本発明の実施の形態における構内交換機の記憶装置１０６に記憶される番号変換データであり、番号変換グループ番号７００と、着信先情報７０１を１ブロックとして構成し、複数のブロックで構成されるデータである。
【００３８】
番号変換グループ番号７００は、番号変換のグループ番号が連番で記憶され、０〜ｎの番号で情報が記憶される。着信先情報７０１は、実際に着信する番号情報又は着信形態が記憶される。（例えば、内線番号、中継台呼び出し番号、仮想内線番号などである。）
なお、本データは、上述した変換テーブル番号６００に基づいてインデックスされるデータである。
図８は、本発明の実施の形態における番号変換データの登録動作を示す説明図である。
まず、◇ボタンを押下する（ステップ８００）。次に、切替ボタンを押下する（ステップ８０１）。すると、切替ボタンのランプが表示される（ステップ８０２）。ランプ表示が行われたことで切替の完了を確認とし終了する（ステップ８０３）。
【００３９】
実際に、図２を用いて説明すると、以下に示すようになる。
まず、◇ボタンを押下する。◇ボタンを押下することでボタン番号１７及び、ボタン番号２１〜２４で示される切替ボタンの押下を可能としている。これは、誤ったボタン押下による誤動作を防止するためである。
【００４０】
次に、切替ボタンを押下する。例えば、ボタン番号１７で示される夜間切替ボタンが押下されると、ボタン押下された情報が構内交換機の中央処理装置１０５へ送信され、ダイヤルイン着信切替処理が実行される。
【００４１】
次に、切替ボタンのランプが表示される。例えば、ボタン番号１７のランプが中央制御装置１０５からの指示で赤点灯などの状態となり、切替えが完了したことを電話機に表示する。
【００４２】
このように、一連の動作でダイヤルイン着信切替が行われる。なお、中央処理装置１０５で処理される内容については後述する。図９は、本発明の実施の形態におけるダイヤルイン着信切替処理の動作フローチャートであり、構内交換機の中央処理装置１０５で処理される。まず、多機能電話機１０８の機能ボタンが押下されると、構内交換機は押下されたボタン情報を抽出する（ステップ９００）。これは、図４に示す機能ボタンデータを多機能電話機１０８の収容位置でインデックスし、さらに、押下されたボタン番号でインデックスすることでボタンの情報を抽出する。
【００４３】
次に、番号変換モードと現在の状態を比較する（ステップ９０１）。これは、図３に示す内線データの番号変換情報３０２を現在の状態として認識し、図４で記憶されている番号変換モード番号４０３と比較することで状態が一致するか否かを比較する。
【００４４】
次に、状態が一致するか否かを判定する（ステップ９０２）。一致しない場合は、ステップ９０３へ進み、一致する場合は、ステップ９０８へ進む。
ステップ９０３では、番号変換モード番号４０３と番号変換許容モード５００を比較する。ここでは押下されたボタンに登録されている番号変換モード４０３の内容が動作可能かを判定する。要するに、番号変換の切替が有効とされているか否かを判定する。
【００４５】
許容と判断したときにはステップ９０５に進み、不許容と判断したときにはステップ９０７へ進む（ステップ９０４）。
ステップ９０５では、番号変換モード番号４０３及び、番号変換グループ番号４０４を抽出して番号変換情報３０２に記憶する。
次に表示処理を実行し、対象となる機能ボタンのランプの点灯を多機能電話機１０８に対して指示する（ステップ９０６）。
次に、多機能電話機１０８を空状態としてダイヤルイン番号切替登録処理を終了する（ステップ９０７）。
ステップ９０２で状態が一致すると判断されたときには、番号変換情報３０２を初期値に変更し、ステップＳ９０６へ進む（ステップ９０８）。これは、一致の場合には、例えば在席の状態にする。つまり、ランプ点灯状態の機能ボタンを押下することで、統一された切替状態に処理することを可能としており、切替状態の解除を可能としている。
【００４６】
ステップ９０４で番号変換の許容モードが不許容と判断されたときには、ステップ９０７へ進み処理を終了する。
図１０は、本発明の実施の形態における構内交換機の中央処理装置１０５で処理されるダイヤルイン着信処理の動作を示すフローチャート図である。
まず、公衆網１０９からダイヤルイン番号を受信する（ステップ１０００）。構内交換機は、ダイヤルイン番号を受信すると、内線データの内線番号情報３００を検索し、一致する内線情報を抽出する（ステップ１００１）。
【００４７】
次に、番号変換が有りか否かを判断する（ステップ１００２）。これは、内線データの番号変換情報３０２にデータが登録されているか否かで判断する。番号変換が有りと判断されたときにはステップ１００３へ進み、番号変換が無しと判断されたときにはステップ１００６へ進む。
【００４８】
ステップ１００３では、番号変換情報３０２を抽出する。
次に、番号変換情報３０２に基づいて着信先情報７０１を抽出し着信先として決定する（ステップ１００４）。
ステップ１００５では着信先の情報に基づいて着信処理を実行する。
ステップ１００２で、番号変換が無しと判断されたときには、受信したダイヤルイン番号を着信先として決定し、ステップ１００５に進み着信処理を実行する。
【００４９】
以上説明した処理により、各端末装置のそれぞれにダイヤルイン着信番号を対応させ、かつ、ダイヤルイン着信切り替えが可能な構内交換機を提供することができる。
【００５０】
例えば、内線端末１０８にダイヤルイン着信する場合に図２に示す機能ボタンの構成で、在席の場合は自端末装置への着信、離席の場合は仮想内線への着信（分散着信）、転送１の場合は構内用無線端末装置（パーソナルハンディホンシステム。）への着信、転送２の場合は電話受付者（例えば中継台など）への着信、夜間切替の場合は夜間トーキーもしくは、音声メール装置への着信などとすればよい。
【００５１】
上記のようなデータを登録し運用することで、公衆網からのダイヤルイン着信を、利用者が選択した着信形態に合わせて着信させることができる。
また、本発明は不在転送とは異なり、簡易な操作でダイヤルイン着信切替が可能である。不在転送の登録と比較すると、通常不在転送の登録は、不在ボタンを押下し、その後転送先のダイヤル番号をダイヤルするが、本発明では、◇ボタンを押下し、ダイヤルイン着信切替ボタンのいずれかを押下すればよい。
【００５２】
なお、本発明の実施の形態では、◇ボタンを押下して切り替える内容で説明したが、◇ボタンの押下を省略することも可能である。つまり、ワンタッチ切り替えである。しかし、ボタンの誤操作を防止するためにも、◇ボタンを押下したあとに、ダイヤルイン着信切り替えボタンを押下する（ツータッチ切り替え）ことが望ましい。
【００５３】
また、本発明の実施の形態によれば、ダイヤルイン着信切り替えの順番に制限が無く、例えば、図２で示す在席の状態から転送２の状態への切り替えも可能であり、操作性が非常に向上したことは言うまでもない。
【００５４】
また、図２では在席のボタンをあえて記載しているが、在席のボタンを設けなくてもランプが点灯しているダイヤルイン着信切り替えボタンを押下することで、在席の状態にすることが出来るので、在席のダイヤルイン着信切り替えボタンを登録しない場合でも利用することは可能である。つまり、離席、転送１、転送２、夜間切替のボタンのランプが全て消灯している状態では在席の状態である。
【００５５】
【発明の効果】
本発明によれば、それぞれの端末装置毎にダイヤルイン着信を振り分けて運用することが可能となると共に、各端末装置毎の操作性に優れたダイヤルイン着信切り替えができる、などの効果がある。
【図面の簡単な説明】
【図１】本発明の構内交換機のブロック図である。
【図２】本発明の多機能電話機のボタン構成の盤面図である。
【図３】構内交換機に記憶される内線データのデータ構成図である。
【図４】構内交換機に記憶される内線毎のボタン情報を記憶するデータ構成図である。
【図５】構内交換機に記憶される番号変換許容モードを記憶するデータ構成図である。
【図６】構内交換機に記憶される変換テーブル番号を記憶するデータ構成図である。
【図７】構内交換機に記憶される着信先を示す情報を記憶するデータ構成図である。
【図８】本発明のダイヤルイン着信切り替え操作を示す動作フローチャート図である。
【図９】本発明のダイヤルイン番号切替登録処理を示すフローチャート図である。
【図１０】本発明のダイヤルイン着信したときの着信処理を示すフローチャート図である。
【符号の説明】
１００  構内交換機
１０１  ディジタルライントランク
１０２  局線トランク
１０３  ＰＢ信号送受信トランク
１０４  通話路スイッチ
１０５  中央制御装置
１０６  記憶装置
１０７  制御バス
１０８  内線端末装置（多機能電話機）
１０９  公衆網
【図１】
0004205330.tif 000002
【図２】
0004205330.tif 000003
【図３】
0004205330.tif 000004
【図４】
0004205330.tif 000005
【図５】
0004205330.tif 000006
【図６】
0004205330.tif 000007
【図７】
0004205330.tif 000008
【図８】
0004205330.tif 000009
【図９】
0004205330.tif 000010
【図１０】
0004205330.tif 000011